(57)【要約】      （修正有）【課題】空気の流出入をいっそう活発にさせることにより通気性を高め、運動性及びファッション性にも富む靴底や該靴底を備えた靴を提供する。【解決手段】通気孔１１１ｃ１〜１４１ｃ１を有し、一体成形された靴底１００であって、前記通気孔１１１ｃ１〜１４１ｃ１は、前記靴底の内側及び外側の両側面をそれぞれ貫通するように前記靴底１００の踏付け部付近及び踵部付近に複数の対となるように設けられ、前記対となる、前記内側の側面に設けられた通気孔と前記外側の側面に設けられた通気孔とに連通され、かつ、上面開放となった通気凹部１１１〜１２３がさらに設けられたことを特徴とする靴底１００。【選択図】図３
2019017978.tif 000002
【特許請求の範囲】
【請求項１】
通気孔を有し、一体成形された靴底であって、
前記通気孔は、前記靴底の内側及び外側の両側面をそれぞれ貫通するように前記靴底の
踏付け部付近及び踵部付近に複数の対となるように設けられ、
前記対となる、前記内側の側面に設けられた通気孔と前記外側の側面に設けられた通気
孔とに連通され、かつ、上面開放となった通気凹部がさらに設けられた
ことを特徴とする靴底。
【請求項２】
前記通気凹部のうち、前記踏付け部付近に設けられた複数の通気凹部を連通する連通溝
がさらに設けられたことを特徴とする請求項１に記載の靴底。
【請求項３】
前記連通溝は、前記靴底を上面からみたときにＵ字形をなすことを特徴とする請求項２
に記載の靴底。
【請求項４】
前記通気凹部のそれぞれについて、前記通気凹部の中央部の溝幅をＷ１、前記通気凹部
の両端の溝幅をＷ２、前記通気凹部の両端と連通する通気孔の幅をＷ３としたとき、
Ｗ１＜Ｗ２＜Ｗ３
の関係となることを特徴とする請求項１〜３のいずれか1項に記載の靴底。
【請求項５】
前記請求項１〜４のいずれか１項に記載された靴底とアッパーとを備えた靴。
【請求項６】
前記靴底と前記アッパーとの間にメッシュ状のミドルソールを装着したことを特徴とす
る請求項５に記載の靴。
【発明の詳細な説明】
【技術分野】
【０００１】
本発明は、広く通気孔を有する靴底及び該靴底を備えた靴に関し、より具体的には、通
気孔と通気溝とを有する靴底及び該靴底を備えた靴に関する。
【背景技術】
【０００２】
従来、空気の流出入を活発にして通気性を高めた靴底や靴が数多く提案されてきた。
【０００３】
例えば、歩行の度に靴内部に充満してくる熱気、臭気を適切に外部に排出することがで
きる足むれの生じない靴が提案されている（特許文献１）。
【０００４】
すなわち、特許文献１には、靴底部の内部に空洞部を設け、この空洞部が該靴底部に設
けた第一連通孔を介して外部と連通していることを特徴とする足むれの生じない靴が開示
されている。
【０００５】
また、靴内部の通気性をよくした通気靴も提案されている（特許文献２）。
【０００６】
すなわち、特許文献２には、靴底の上面に、凹部が形成され、該凹部の底面に横溝が形
成され、該横溝は、前記靴底の側面に形成された通気孔と連通され、前記凹部に、弾力性
を有するブロック体が嵌め込まれ、該ブロック体の上部が、前記靴底の上面よりも上方に
突出し、前記ブロック体に縦孔が形成され、前記凹部の底面上に、荷重がかかったときに
前記ブロック体が前記横溝に入り込むことを防ぐための支持シートが配され、該支持シー
トは通気性を有し、前記縦孔および支持シートを通じて靴内部と前記横溝とが連通され、
前記ブロック体に荷重がかかったときに前記縦孔が変形して、前記通気孔と靴内部との間
で空気の流出入が生じることを特徴とする通気靴が開示されている。
【０００７】
さらに、一体形成の靴底によりクッション性能を損なうことなく、靴内部の空気を循環
し得る靴が提案されている（特許文献３）。
【０００８】
すなわち、特許文献３には、クッション性の材質よりなる靴底の外周面に少なくとも一
つの通気孔を開口し、この通気孔を靴底の靴内部に形成した条溝に接続すると共に、通気
孔の入り口に狭窄部を形成することを特徴とする靴が開示されている。
【先行技術文献】
【特許文献】
【０００９】
【特許文献１】特開２０００−１８９２０６号公報
【特許文献２】特開２００６−３２０６５７号公報
【特許文献３】特開２００９−１９５４８０号公報
【発明の概要】
【発明が解決しようとする課題】
【００１０】
しかしながら、従来の通気靴は、概して通気孔や通気口の径が小さく、長時間履き続け
た場合の通気性には改善の余地があった。この場合、単に通気孔や通気口の径を大きくす
るだけではなく、通気孔や通気口の径や通気路の形状に変化をもたせることにより、空気
の流出入をいっそう活発にさせることが望ましい。
【００１１】
さらに、上述の観点でデザインされた靴底やかかる靴底を備えた靴が、クッション性を
含む運動性に富み、加えてファッショナブルな印象を与えるものであれば、一層好ましい
といえる。
【課題を解決するための手段】
【００１２】
本発明は、少なくとも、通気孔を有し、一体成形された靴底であって、前記通気孔は、
前記靴底の内側及び外側の両側面をそれぞれ貫通するように前記靴底の踏付け部付近及び
踵部付近に複数の対となるように設けられ、前記対となる、前記内側の側面に設けられた
通気孔と前記外側の側面に設けられた通気孔とに連通され、かつ、上面開放となった通気
凹部がさらに設けられたことを特徴とする。
【００１３】
また、本発明は、上記靴底とアッパーとを備えた靴であることを特徴とする。
【発明の効果】
【００１４】
本発明により、空気の流出入をいっそう活発にさせることにより通気性を高め、運動性
及びファッション性にも富む靴底や該靴底を備えた靴を提供することができる。
【図面の簡単な説明】
【００１５】
【図１Ａ】本発明の一実施形態に係る靴底（右足側）の上面図である。
【図１Ｂ】図１ＡにおけるＢ点を折れ曲がり部としたＡ−Ｂ−Ｃ線組合せ断面図である。
【図１Ｃ】図１ＡにおけるＤ−Ｄ線断面図である。
【図１Ｄ】図１ＡにおけるＥ−Ｅ線断面図である。
【図１Ｅ】図１ＡにおけるＦ−Ｆ線断面図である。
【図１Ｆ】図１ＡにおけるＧ−Ｇ線断面図である。
【図１Ｇ】本発明の一実施形態に係る靴底（右足側）に配された通気孔及び通気溝の様子を説明する説明図である。
【図２Ａ】本発明の一実施形態に係る靴底（右足側）の底面図である。
【図２Ｂ】本発明の一実施形態に係る靴底（右足側）の右側面図である。
【図２Ｃ】本発明の一実施形態に係る靴底（右足側）の左側面図である。
【図３】本発明の一実施形態に係る靴底の外観構成を説明する外観斜視図である。
【図４】本発明の一実施形態に係る靴底を備えた靴の外観構成を説明する外観斜視図である。
【図５】本発明の他の実施形態に係る靴の分解構造を説明する説明図である。
【図６】図５に示した本発明の他の実施形態に係る靴の内側の様子を説明する説明図である。
【発明を実施するための形態】
【００１６】
本発明に係る靴底及び該靴底を備えた靴の構造ならびにその実施例について、図面を参
照しながら説明する。
なお、本発明に係る靴底及び該靴底を備えた靴については、便宜上、右足側について説
明をすることとし、左足側については右足側と同様であるため説明を省略する。
また、本明細書において、靴底をソール、靴をシューズということもある。
【実施例１】
【００１７】
本発明の一実施形態に係る靴底の外観構成を示す外観斜視図は、図３に示すとおりであ
る。加えて、図１Ａ〜図２Ｃに、本発明の一実施形態に係る靴底の上面図、断面図、側面
図、底面図等のそれぞれについて、詳細に示されている。以下では、まず、図１Ａを参照
して本発明の一実施形態に係る靴底を説明する。
【００１８】
図１Ａは、本発明の一実施形態に係る靴底の上面図であり、同図Ａにおいて、靴底１０
０には、その上面の踏付け部側に通気凹部１１１〜１１４が図中左右方向に形成され、同
じく上面の踵部側にも通気凹部１２１〜１２３が図中左右方向に形成されている。
図１Ａには表れていないが、通気凹部１１１〜１１４、１２１〜１２３のそれぞれ左右
両端部は、通気孔に連通されている（通気孔については、図１Ｃ、図１Ｆ等を参照して後
述する）。
つまり、通気凹部１１１〜１１４、１２１〜１２３のそれぞれ左右両端部に連通される
ように設けられた通気孔は対をなす。
【００１９】
また、図１Ａにおいて、踏付け部側通気凹部１１１〜１１４には、図中上下方向に連通
する連通溝１３０が形成されている。しかも、この連通溝１３０は、つま先部で連結し、
全体としては、Ｕ字形（馬蹄形）をなすように形成されている。
【００２０】
換言すれば、連通溝１３０は、図１Ａの靴底（右足側）の上面からみて、踏付け部に設
けられた複数の通気凹部のうち土踏まず部に最も近い通気凹部（１１４）の内側から始ま
り、踏付け部側の各通気凹部（１１３→１１１）とそれぞれの内側で交わるように形成さ
れつつ、つま先部に最も近い通気凹部（１１１）を通過するとなだらかに折り返し、再び
踏付け部側の各通気凹部（１１１→１１３）とそれぞれの外側で交わるように形成され、
土踏まず部に最も近い通気凹部（１１４）の外側と連結して終了する。
【００２１】
なお、本発明の一実施形態において、靴底の踵部側の通気凹部１２１〜１２３にはこれ
らを連通する連通溝は設けられていないが、本発明がこれに制限されることはなく、踵部
側の通気凹部１２１〜１２３にも連通溝１３０と同様の連通溝を設けても良い。
【００２２】
図１Ｂに、図１ＡにおけるＢ点を折れ曲がり部としたＡ−Ｂ−Ｃ線組合せ断面図を示す
。同図Ｂに示されるように、ソール上面には、連通溝１３０の溝部、踏付け部側通気凹部
１１１〜１１４の各溝部、ならびに、踵部側通気凹部１２１〜１２３の各溝部が形成され
ている。
【００２３】
ここで、踏付け部側通気凹部１１１〜１１４の各溝部の深さは、踵部側通気凹部１２１
〜１２３の各溝部の深さよりも浅く形成されていることに留意されたい。踵部側通気凹部
１２１〜１２３の各溝部の深さを浅めに形成しても、上述の連通溝１３０による空気の通
路を別途設けることで、空気の流出入は十分に活発化されるため、踏付け部に対して複数
の通気凹部を形成することによる強度や耐久性の低下を防ぐことができる。
【００２４】
図１Ｃに、図１ＡにおけるＤ−Ｄ線断面図を示す。同図Ｃにおいて、上面が解放された
通気凹部１１１が確認できる。さらに、通気凹部１１１の両端には、通気孔１１１ｃ１及
び１１１ｃ２が確認できる。これらの通気孔は対をなしている。
【００２５】
図１Ｄに、図１ＡにおけるＥ−Ｅ線断面図を示す。同図Ｄにおいて、靴底上面には連通
溝１３０の溝部が確認できる。
【００２６】
図１Ｅに、図１ＡにおけるＦ−Ｆ線断面図を示す。
【００２７】
図１Ｆに、図１ＡにおけるＧ−Ｇ線断面図を示す。同図Ｆにおいて、上面が解放された
通気凹部１２３が確認できる。さらに、通気凹部１２３の両端には、通気孔１２３ｃ１及
び１２３ｃ２が確認できる。これらの通気孔は対をなしている。
【００２８】
図１Ｇに、本発明の一実施形態に係る靴底（右足側）に配された通気凹部及び通気溝、
ならびに通気孔の様子を示す。同図Ｇ（Ａ）には、靴底の踏付け部周辺に図中左右方向に
形成された通気凹部１１１〜１１４が確認でき、それぞれ上面開放されている（斜線部）
。さらに、同図Ｇ（Ｂ）には、通気凹部１１１〜１１４に対して図中上下方向に連通する
連通溝１３０が形成されている様子が示されている（斜線部）。
【００２９】
本発明の一実施形態に係る靴底は、少なくともその踏付け部周辺に靴底の内側と外側と
を結ぶ方向に通気凹部が複数設けられ、それぞれの通気凹部の両端には、外部との通気を
行う通気孔がそれぞれ連結形成されている。
少なくともかかる構成により、空気の流出入をいっそう活発にさせて高い通気性を実現
することができる。
【００３０】
さらに、踏付け部周辺に靴底の内側と外側とを結ぶ方向に形成された複数の通気凹部を
連通する連通溝１３０を設けたことにより、靴底の踏付け部の強度を保持するために通気
凹部の溝を比較的浅く形成したとしても空気の流出入の活性化は妨げられず、依然高い通
気性を実現することができる。
【００３１】
また、図１Ｇ（Ｃ）には、通気凹部や通気孔の幅（径）の関係が示されている。通気凹
部の一例として、同図Ｇ（Ｃ）に示されるように、通気凹部１１２の中央部の幅Ｗ１より
もその両端の幅Ｗ２の方が広くなるように形成されていることがわかるであろう。さらに
、同図Ｇ（Ｃ）には表れていないが靴底両端部に形成された通気孔１１２ｃ１（や１１２
ｃ２）の幅Ｗ３は、Ｗ２よりもさらに広くなるように形成されている。
【００３２】
その結果、通気凹部の中央部の溝断面の面積Ｐ１と、通気凹部の両端部の溝断面の面積
Ｐ２と、それら両端部に連通するように形成された通気孔の孔面積Ｐ３との関係も、Ｐ１
＜Ｐ２＜Ｐ３となる。
【００３３】
このように、各通気凹部の溝幅を中央部から両端部へ向かうにしたがって広くなるよう
に形成することにより、（１）中央部の靴底の踏付け部や踵部における実際に足の加重が
かかる面積を広くとって十分な強度を確保できるとともに、（２）歩行時の足の加重によ
る連続的な靴底（及び通気凹部や連通溝の断面）の変形に伴う空気の流動性を増大させる
という効果を奏する。
【００３４】
［本発明の一実施形態に係る靴底の材質及び製法等の例示］
本発明の一実施形態に係る靴底は、これらに限定されるものではないが、図示しない上
下の金型による一体成形によって製作することができる（ここまでの説明で本発明の一実
施形態に係る靴底を成形するための金型については、従来の金型技術を使って製作可能で
あることがわかるであろう）。形成材料としては、これに限定されるものではないが一例
としてウレタン樹脂を注入し、所定時間放置することにより、金型内部で発泡させて所定
の形状に形成させることができる。
【００３５】
また、金型への形成材料の注入方法は、形成物の変形防止の観点からなるべく圧力を加
えずに行われても良い。あるいは、材料によっては射出成形のように加圧注入する成形方
法によっても十分に製作可能である。
【００３６】
いずれにせよ、一体成形された靴底は、弾性力を備え、人間の歩行に応じた適度な変形
を許容するとともに、柔軟に復元する特性を備えたものとなる。
【００３７】
図２Ａに、本発明の一実施形態に係る靴底の底面図を示す。同図Ａにおいて、靴底１０
０の底面部には、１５１及び１５２等の縦溝と、１６１及び１６２等の横溝とが形成され
、これらの縦溝と横溝とで囲まれた略矩形領域１７１等がグリップ力を発揮する凸部を形
成する。
もちろん、これら底面部の実施態様は本発明の趣旨に制限を加えるものではない。
【００３８】
図２Ｂに、本発明の一実施形態に係る靴底の右側面図を示す（靴底をつま先側から見た
ものを正面図とした場合の右側面である。以下、同様）。同図Ｂにおいて、靴底１００の
右側面部には、通気孔１１１ｃ１〜１１４ｃ１、及び１２１ｃ１〜１２３ｃ１が確認でき
る。図に示されるとおり、通気孔１１１ｃ１〜１１４ｃ１の孔の広さは、通気孔１２１ｃ
１〜１２３ｃ１の孔の広さよりも狭くなっている。これは、図１Ｂにも示されているよう
に、通気孔１１１ｃ１〜１１４ｃ１に連結する通気凹部１１１〜１１４の溝部の深さが通
気凹部１２１〜１２３の溝部の深さよりも浅く形成されていることに影響を受けている。
しかしながら、こうした構造的な特徴は、図２Ｂにも表れているように見た目の美しさ
（機能美）にも寄与しており、本発明の一実施形態に係る靴底及び該靴底を備えた靴のフ
ァッション性をも高めている。
【００３９】
なお、矩形領域１４１ｃ１は、図１Ａや図３等にも示唆されているとおり、孔部ではな
く中実部分である。本発明の一実施形態に係る靴底においては、踵部分の強度及び耐久性
を確保するためにこのような設計としたが本発明の趣旨に影響を与えるものではない。
【００４０】
図２Ｃに、本発明の一実施形態に係る靴底の左側面図を示す。同図Ｃにおいて、靴底１
００の左側面部には、通気孔１１１ｃ２〜１１４ｃ２、及び１２１ｃ２〜１２３ｃ２が確
認できる。図に示されるとおり、通気孔１１１ｃ２〜１１４ｃ２の孔の広さは、通気孔１
２１ｃ２〜１２３ｃ２の孔の広さよりも狭くなっている。これは、図１Ｂにも示されてい
るように、通気孔１１１ｃ２〜１１４ｃ２に連結する通気凹部１１１〜１１４の溝部の深
さが通気凹部１２１〜１２３の溝部の深さよりも浅く形成されていることに影響を受けて
いる。これらの構造的特徴は、図２Ｂを参照して際にも説明したように、本発明の一実施
形態に係る靴底及び該靴底を備えた靴のファッション性をも高めている。
【００４１】
なお、矩形領域１４１ｃ２は、図２Ｂで参照した矩形領域１４１ｃ１と同様に、孔部で
はなく中実部分である。
【００４２】
図３に、本発明の一実施形態に係る靴底の外観構成を示す。同図中に付された部材番号
は、これまでに説明した部材に対する部材番号にそれぞれ対応しており、同図中に番号が
付された全ての部材について、既に説明済みである。
同図を参照すれば、各部材の関係がより明確に理解できるであろう。
【実施例２】
【００４３】
図４に、本発明の一実施形態に係る靴底を備えた靴の外観構成を示す。同図において、
靴４００は、これまで説明した趣旨に沿って製作された本発明の一実施形態に係る靴底４
１０にアッパー４２０が取り付けられている。この取り付け方については種々の製法を採
用することができ、一例として、靴底４１０と通気性ミドルソール（不図示）とアッパー
４２０とを糸で縫い付けないで接着剤で貼り合わせるいわゆるセメンテッド式製法を採用
することができる。
同図に示された靴４００を見れば明らかなように、十分な通気性が確保された靴底４１
０により、アッパー部には通気機構を不要とするか、あるいは最小限のメッシュ部を設け
るだけで済むので、アッパー部（特に甲部）の強度を十分に保ったまま十分な通気性を備
える靴を提供することが可能である。
なお、通気性ミドルソールの具体例については、図５〜６を参照して後述する。
【実施例３】
【００４４】
図５に、本発明の他の実施形態に係る靴の分解構造を示す。同図に示されるように、靴
５００は、本発明の一実施形態に係る靴５１０のうえにメッシュ状のミドルソール５２０
が取り付けられ、最上部にアッパー５３０が取り付けられている。
ミドルソール５２０には、これに限定されるものではないが、ミッドソールとしての強
度をある程度持たせたポリエチレンやＥＶＡ（Ethylene−Vinyl Acetate Copolymer）、
その他、天然又は人工の繊維素材のものを採用することができる。
【００４５】
同図のミッドソール５２０を見れば明らかなように、その構造には大き目のメッシュを
採用することもでき、大き目のメッシュ構造を採用した場合には、靴底５１０で実施され
る通気がダイレクトにミッドソール５２０を通過してアッパー部に及ぶため、靴全体とし
ても非常に高い通気性能が発揮される。
【００４６】
図６に、図５に示した本発明の他の実施形態に係る靴の内側の様子を示す。同図を見れ
ば明らかなように、大き目のメッシュ構造を備えたものとして実装されたミドルソール５
２０を介して、靴底の通気凹部を確認することができる。
【００４７】
［本発明の一実施形態に係る靴底の利用可能性］
本発明の一実施形態に係る靴底は、これらに限定されるものではないが、ナースシュー
ズ、アウトドアサンダル、水陸両用シューズといった、病院等の過酷な環境での長時間の
連続使用や、常に水に濡れることが前提とされているような水辺環境等での使用に好適で
ある。
【００４８】
［組み合わせ］
本明細書（特許請求の範囲、要約、及び図面を含む）に記載された構成要件については
、これらの特徴が相互に排他的である組合せを除き、任意の組合せで組み合わせることが
できる。
【００４９】
［特徴の一例］
本明細書（特許請求の範囲、要約、及び図面を含む）に記載された特徴の各々（例えば
、通気溝が通気凹部に対して上下に貫通するように設けられるか、或いは斜めに貫通する
ように設けられるか等）は、明示的に否定されない限り、同一の目的、同等の目的、また
は類似する目的のために作用する代替の特徴に置換することができる。したがって、明示
的に否定されない限り、開示された特徴の各々は、包括的な一連の同一又は均等となる特
徴の一例にすぎない。
【符号の説明】
【００５０】
１００、４１０、５１０  靴底（ソール）
１１１〜１１４  通気凹部（踏付け部側）
１２１〜１２３  通気凹部（踵部側）
１１１ｃ１〜１１４ｃ１、１１１ｃ２〜１１４ｃ２  通気孔（踏付け部側）
１２１ｃ１〜１２３ｃ１、１２１ｃ２〜１２３ｃ２  通気孔（踵部側）
１３０  連通溝
５２０  ミドルソール
４２０、５３０  アッパー
【図１Ａ】
2019017978.tif 000003
【図１Ｂ】
2019017978.tif 000004
【図１Ｃ】
2019017978.tif 000005
【図１Ｄ】
2019017978.tif 000006
【図１Ｅ】
2019017978.tif 000007
【図１Ｆ】
2019017978.tif 000008
【図１Ｇ】
2019017978.tif 000009
【図２Ａ】
2019017978.tif 000010
【図２Ｂ】
2019017978.tif 000011
【図２Ｃ】
2019017978.tif 000012
【図３】
2019017978.tif 000013
【図４】
2019017978.tif 000014
【図５】
2019017978.tif 000015
【図６】
2019017978.tif 000016
【手続補正書】
【提出日】平成30年3月5日(2018.3.5)
【手続補正２】
【補正対象書類名】特許請求の範囲
【補正対象項目名】全文
【補正方法】変更
【補正の内容】
【特許請求の範囲】
【請求項１】
通気孔を有し、一体成形された靴底を備えた靴であって、
前記靴底における前記通気孔は、前記靴底の内側及び外側の両側面をそれぞれ貫通するように前記靴底の踏付け部付近及び踵部付近に複数の対となるように設けられ、
前記対となる、前記内側の側面に設けられた通気孔と前記外側の側面に設けられた通気孔とに連通され、かつ、上面開放となった複数の通気凹部がさらに設けられ、
前記複数の前記通気凹部の中央部から前記通気凹部の両端部に至る前記溝断面は漸次拡大するものであって、
前記通気凹部のうち、前記踏付け部付近に設けられた複数の通気凹部を連通する連通溝がさらに設けられた
ことを特徴とする靴底と、
アッパーと
を備え、
メッシュ状のミドルソールが、前記アッパーに設けられた履き口より前記通気凹部が視認可能となるように前記靴底と前記アッパーとの間に装着された
ことを特徴とする靴。
【請求項２】
前記連通溝は、前記靴底を上面からみたときにＵ字形をなすことを特徴とする請求項１に記載の靴。